(57)【要約】 【課題】機械による苗付けに耐えることができる生分解性種苗ポット及びそれに使用するトレーを提供する。【解決手段】苗を育て、苗及び用土ともに圃場に植え付けられる微生物分解性の種苗ポットであって、微生物分解性の上部が開口したポットと、前記ポットの内側又は外側の底面から側面にかけて放射状に貼付した生分解性の肉厚軸とからなり、前記肉厚軸の端部は前記ポットから突出させて苗付け機で摘み上げるための摘みとしたことを特徴とする種苗ポットの構成とした。【選択図】  図１
2013021925.tif 000002
【特許請求の範囲】
【請求項１】
苗を育て、苗及び用土ともに圃場に植え付けられる微生物分解性の種苗ポットであって、
微生物分解性の上部が開口したポットと、
前記ポットの内側又は外側の底面から側面にかけて放射状に貼付した生分解性の肉厚軸とからなり、
前記肉厚軸の端部は前記ポットから突出させて苗付け機で摘み上げるための摘みとしたことを特徴とする種苗ポット。
【請求項２】
前記ポットを、底面の中央に水はけのための孔を穿設し、前記底面と相似且つ前記底面よりも大きい上部開口を備えたポットとしたことを特徴とする請求項１に記載の種苗ポット。
【請求項３】
前記ポットの底面及び開口の形状を多角形とし、各辺を結ぶ各側面に前記肉厚部を形成したことを特徴とする請求項１または請求項２に記載の種苗ポット。
【請求項４】
前記ポットの底面及び開口の形状を円形又は多角形とし、前記肉厚部を１つ以上設けたポットとしたことを特徴とする請求項１または請求項２に記載の種苗ポット。
【請求項５】
請求項１から請求項４の何れか１項に記載の種苗ポットを配置するための複数のポット受けと、前記複数のポット受けを連結する枠部とからなり、
一度に複数の前記種苗ポットを前記苗付け機に設置できることを特徴とするトレー。
【請求項６】
前記枠部を、外周面に前記枠部の湾曲を防止する突条を備えた枠部とし、
前記ポット受けを、底面中央の水はけのための孔を穿設し、前記底面と相似且つ前記底面よりも大きい開口としたことを特徴とする請求項５に記載のトレー。
【請求項７】
前記ポット受けを、底面及び開口の形状が円形又は多角形のポット受けとしたことを特徴とする請求項５または請求項６に記載のトレー。
【発明の詳細な説明】
【技術分野】
【０００１】
本発明は、農作物の苗を育てるための種苗ポット及びそれに使用するトレーに関する。
【背景技術】
【０００２】
従来、農作物の苗を育てるためにはポリポットに用土を入れ、その後各ポリポットに種をまき、一定の大きさに育った苗をポリポットから用土ごと取り出し畑地へ移植していた。
【０００３】
また、前記ポリポットに代えて生分解ポットを使用して苗を育て、一定の大きさに育った苗を生分解ポットごと畑地等へ移植していた。
【０００４】
しかしながら、従来のポリポットでは、移植の際に用土ごと苗を取り出し移植するため作業の手間が多く、苗付けの最適な時期に短期間で植え付けることは難しかった。
【０００５】
また、ポリポットの場合、苗付け後にポリポットの回収、保管等を行わなければならず、更に手間が増えていた。
【０００６】
また、生分解ポットの場合、ポットから苗を取り出す手間は省けるものの、苗を育てる間にポットの一部が分解を始めるため、やはり畑地等への苗付けは手作業で行わなければならず、そのため作業者を手配するも、苗付け次期は同じであるため作業者が不足し、結果として苗付けに最適な時期に終わらせるのは難しかった。
【先行技術文献】
【特許文献】
【０００７】
【特許文献１】特開平５−１３７４６６号公報
【発明の概要】
【発明が解決しようとする課題】
【０００８】
そこで、本発明は、機械による苗付けに耐えることができる生分解性種苗ポット及びそれに使用するトレーを提供する。
【課題を解決するための手段】
【０００９】
本発明は、上記の課題を解決するために、苗を育て、苗及び用土ともに圃場に植え付けられる微生物分解性の種苗ポットであって、微生物分解性の上部が開口したポットと、前記ポットの内側又は外側の底面から側面にかけて放射状に貼付した生分解性の肉厚軸とからなり、前記肉厚軸の端部は前記ポットから突出させて苗付け機で摘み上げるための摘みとしたことを特徴とする種苗ポットの構成とした。
【００１０】
また、前記ポットを、底面の中央に水はけのための孔を穿設し、前記底面と相似且つ前記底面よりも大きい上部開口を備えたポットとしたことを特徴とする種苗ポットの構成とした。
【００１１】
また、前記ポットの底面及び開口の形状を多角形とし、各辺を結ぶ各側面に前記肉厚部を形成したことを特徴とする種苗ポットの構成とした。
【００１２】
また、前記ポットの底面及び開口の形状を円形又は多角形とし、前記肉厚部を１つ以上設けたポットとしたことを特徴とする種苗ポットの構成とした。
【００１３】
また、前記の何れかの種苗ポットを配置するための複数のポット受けと、前記複数のポット受けを連結する枠部とからなり、一度に複数の前記種苗ポットを前記苗付け機に設置できることを特徴とするトレーの構成とした。
【００１４】
更に、前記枠部を、外周面に前記枠部の湾曲を防止する突条を備えた枠部とし、前記ポット受けを、底面中央の水はけのための孔を穿設し、前記底面と相似且つ前記底面よりも大きい開口としたことを特徴とするトレーの構成とした。
【００１５】
加えて、前記ポット受けを、底面及び開口の形状が円形又は多角形のポット受けとしたことを特徴とするトレーの構成とした。
【発明の効果】
【００１６】
本発明は上記のような構成であるため、苗付けに最も適した期間に、作業員を増やすことなく従来よりも短時間で苗付けを完了することができ、それにより作物の出来栄えを安定させることができる。
【図面の簡単な説明】
【００１７】
【図１】本発明である種苗ポットの第１実施例を示す図である。
【図２】本発明である種苗ポットの第２実施例を示す図である。
【図３】本発明である種苗ポットの第３実施例を示す図である。
【図４】本発明である種苗ポットの第４実施例、第５実施例、第６実施例を示す図である。
【図５】本発明である種苗ポットの他の実施例を示す図である。
【図６】本発明である種苗ポットに使用するトレーを示す図である。
【図７】本発明である種苗ポットに使用するトレーに他の実施例を示す図である。
【図８】本発明である種苗ポットの使用状態を示す図である。
【発明を実施するための形態】
【００１８】
以下、添付の図面を参照し、本発明の実施の形態について詳細に説明する。
【実施例１】
【００１９】
図１は本発明である種苗ポットの第１実施例を示す図である。
【００２０】
図１各図に示すように、本発明である種苗ポット１は、苗を育て、苗及び用土ともに圃場に植え付けられる微生物分解性の種苗ポットであって、微生物分解性の上部が開口２ａしたポット２と、前記ポット２の内側又は外側の底面２ｂから側面２ｃにかけて放射状に貼付した生分解性の肉厚軸３とからなり、前記肉厚軸３の端部は前記ポット２から突出させて苗付け機で摘み上げるための摘み３ａとしたことを特徴とする。
【００２１】
前記ポット２は、底面２ｂの中央に水はけのための孔２ｄを穿設しており、前記底面２ｂと相似且つ前記底面２ｂよりも大きい上部開口２ａを備えている。
【００２２】
前記種苗ポット１では、前記底面２ｂ及び開口２ａの形状は略四角形状とし、前記肉厚部３が前記孔２ｄから四辺中央に向かって略十文字に貼付され、更に側面２ｃに沿って上方に貼付され、先端が前記開口２ａの縁から突出して摘み３ａを形成している。
【００２３】
前記摘み３ａは、前記開口２ａから突出後、図１の（Ｂ）に示すように、外方に向かって屈曲していても、前記側面２ｃの傾斜に沿った延長線上に突出していてもよく、特に限定しない。
【００２４】
また、図１（Ｃ）に示すように、前記肉厚部３はポット２の内壁面に貼付しても、外壁面に貼付してもよい。尚、符号２ｅは、前記開口２ａの周面を示しており、前記開口２ａの周面が前記底部２ｂと平行となるよう外方に屈曲していることを表している。但し、前記開口２ａの周面２ｅを屈曲させることは必須ではなく、屈曲していなくても構わない。
【実施例２】
【００２５】
図２は本発明である種苗ポットの第２実施例を示す図である。
【００２６】
本発明である種苗ポット１ａは、実施例１の種苗ポット１とほぼ同じ構成をしている。即ち、図２の各図に示すように、種苗ポット１ａは、苗を育て、苗及び用土ともに圃場に植え付けられる微生物分解性の種苗ポットであって、微生物分解性の上部が開口４ａしたポット４と、前記ポット４の内側又は外側の底面４ｂから側面４ｃにかけて放射状に貼付した生分解性の肉厚軸３とからなり、前記肉厚軸３の端部は前記ポット４から突出させて苗付け機で摘み上げるための摘み３ａとしたことを特徴とし、更に前記ポット４は、底面４ｂの中央に水はけのための孔４ｄを穿設しており、前記底面４ｂと相似且つ前記底面４ｂよりも大きい上部開口４ａを備えている。
【００２７】
前記種苗ポット１ａでは、前記底面４ｂ及び開口４ａの形状を円形とし、前記肉厚部３が前記孔４ｄから四方向に向かって略十文字に貼付され、更に側面４ｃに沿って上方に貼付され、先端が開口４ａの縁から突出した摘み３ａを形成している。
【００２８】
前記摘み３ａは、前記開口２ａから突出後、図２の（Ｂ）に示すように、外方に向かって屈曲していても、前記側面２ｃの傾斜に沿った延長線上に突出していてもよく、特に限定しない。
【００２９】
また、図２（Ｃ）に示すように、前記肉厚部３はポット４の内壁面に貼付しても、外壁面に貼付してもよい。尚、符号４ｅは、前記開口４ａの周面を示しており、前記開口４ａの周面が前記底部４ｂと平行となるよう外方に屈曲していることを表している。但し、前記開口４ａの周面４ｅを屈曲させることは必須ではなく、屈曲していなくても構わない。
【実施例３】
【００３０】
図３は本発明である種苗ポットの第３実施例を示す図である。
【００３１】
本発明である種苗ポット１ｂは、実施例１及び２の種苗ポット１、１ａとほぼ同じ構成をしている。即ち、図３の各図に示すように、種苗ポット１ｂは、苗を育て、苗及び用土ともに圃場に植え付けられる微生物分解性の種苗ポットであって、微生物分解性の上部が開口５ａしたポット５と、前記ポット５の内側又は外側の底面５ｂから側面５ｃにかけて放射状に貼付した生分解性の肉厚軸３とからなり、前記肉厚軸３の端部は前記ポット５から突出させて苗付け機で摘み上げるための摘み３ａとしたことを特徴とし、更に前記ポット５は、底面５ｂの中央に水はけのための孔５ｄを穿設しており、前記底面５ｂと相似且つ前記底面５ｂよりも大きい上部開口５ａを備えている。
【００３２】
前記種苗ポット１ｂでは、前記底面５ｂ及び開口５ａの形状を略六角形とし、前記肉厚部３が前記孔５ｄから六方向に向かって放射状に貼付され、更に側面５ｃに沿って上方に貼付され、先端が開口５ａの縁から突出した摘み３ａを形成している。
【００３３】
前記摘み３ａは、前記開口５ａから突出後、図３の（Ｂ）に示すように、外方に向かって屈曲していても、前記側面５ｃの傾斜に沿った延長線上に突出していてもよく、特に限定しない。
【００３４】
また、図３（Ｃ）に示すように、前記肉厚部３はポット５の内壁面に貼付しても、外壁面に貼付してもよい。尚、符号５ｅは、前記開口５ａの周面を示しており、前記開口５ａの周面が前記底部５ｂと平行となるよう外方に屈曲していることを表している。但し、前記開口５ａの周面５ｅを屈曲させることは必須ではなく、屈曲していなくても構わない。
【実施例４】
【００３５】
図４（Ａ）は本発明である種苗ポットの第４実施例を示す図である。
【００３６】
図４（Ａ）に示すように、本発明である種苗ポット１ｃは、ポット６の底面６ｂ及び開口６ａの形状が略八角形をしており、底面６ｂの中央に穿設した孔６ｄから各辺に向かって肉厚部３が放射線状に貼付され、前記肉厚部３は更に各側面６ｃに沿って貼付され、端部が前記開口６ａから突出して摘み３ａを形成している。従って、前記種苗ポット１、１ａ、１ｂとの違いは開口及び底面の形状と辺数であり、その他、肉厚部３がポットの内壁面でも外壁面でも良いこと、摘み３ａが屈曲していても屈曲していなくても良いこと、開口６ａの周面６ｅが屈曲していても屈曲していなくても良いことは他の実施例と同じである。
【実施例５】
【００３７】
図４（Ｂ）は本発明である種苗ポットの第５実施例を示す図である。
【００３８】
図４（Ｂ）に示すように、本発明である種苗ポット１ｄは、ポット７の底面７ｂ及び開口７ａの形状が略十角形をしており、底面７ｂの中央に穿設した孔７ｄから各辺に向かって肉厚部３が放射線状に貼付され、前記肉厚部３は更に各側面７ｃに沿って貼付され、端部が前記開口７ａから突出して摘み３ａを形成している。従って、前記種苗ポット１、１ａ、１ｂ、１ｃとの違いは開口及び底面の形状と辺数であり、その他、肉厚部３がポットの内壁面でも外壁面でも良いこと、摘み３ａが屈曲していても屈曲していなくても良いこと、開口７ａの周面７ｅが屈曲していても屈曲していなくても良いことは他の実施例と同じである。
【実施例６】
【００３９】
図４（Ｃ）は本発明である種苗ポットの第６実施例を示す図である。
【００４０】
図４（Ｃ）に示すように、本発明である種苗ポット１ｅは、ポット８の底面８ｂ及び開口８ａの形状が略十二角形をしており、底面８ｂの中央に穿設した孔８ｄから各辺に向かって肉厚部３が放射線状に貼付され、前記肉厚部３は更に各側面８ｃに沿って貼付され、端部が前記開口８ａから突出して摘み３ａを形成している。従って、前記種苗ポット１、１ａ、１ｂ、１ｃ、１ｄとの違いは開口及び底面の形状と辺数であり、その他、肉厚部３がポットの内壁面でも外壁面でも良いこと、摘み３ａが屈曲していても屈曲していなくても良いこと、開口８ａの周面８ｅが屈曲していても屈曲していなくても良いことは他の実施例と同じである。
【００４１】
尚、前記ポットの開口及び底面の形状は、上記以外の多角形でもよく、略三角形、略五角形等の奇数の多角形などでもよい。また、全ての辺の長さが等しいものに限定したわけではなく、略四角形の場合は長方形状なども考えられ、略円形については、楕円形状などでも構わない。
【実施例７】
【００４２】
図５は本発明である種苗ポットの他の実施例を示す図である。
【００４３】
図５に示すように、種苗ポット１ｆ〜１ｋは、前記種苗ポット１〜１ｅを構成する肉厚部３のうち、およそ半数程度の肉厚部３に摘み３ａを形成させたものである。図５では半数の肉厚部２に摘み３ａを形成したが、特に限定したものではなく、１つ以上の肉厚部３に摘み３ａが形成されていればよい。
【００４４】
また、前記種苗ポット１〜１ｋの容量については、開口の直径４ｃｍの６０ｃｃのものから開口の直径４０ｃｍの３２，３００ｃｃ程度のものを想定しているが、特に限定したものではなく、これらよりも更に小さくても、反対に大きくてもよい。更に、種苗ポット１〜１ｋ及び肉厚部３の厚みについては１ｍｍ程度、摘み３ａの厚みについては１ｍｍ〜５ｍｍ程度を想定しているが、これらに限定したものではなく、特に種苗ポットの容量を大きくした場合は、厚めにしたほうがよい。
【実施例８】
【００４５】
図６は本発明である種苗ポットに使用するトレーを示す図である。
【００４６】
図６に示すように、本発明である種苗ポットに使用するトレー９は、前記の何れかの種苗ポットを配置するための複数のポット受け１０と、前記複数のポット受け１０を連結する枠部９ａとからなり、一度に複数の前記種苗ポット（１〜１ｋ）を前記苗付け機に設置できることを特徴とする。
【００４７】
図６（Ａ）に示すように、前記枠部９ａは、平面形状が略長方形状をしており、外周面に枠部９ａの湾曲を防止する突条９ｂを形成している。
【００４８】
また、前記ポット受け１０は、底面１０ｂの中央に水はけのための孔１０ｄを穿設し、前記底面１０ｂと相似且つ前記底面１０ｂよりも大きい開口１０ａを備えている。尚、符号１０ｃはポット受け１０の側面を示している。
【００４９】
図６（Ａ）に示すように、前記ポット受け１０は、前記枠体９ａに縦横等間隔に複数形成されており、前記ポット受け１０の形成数は、図６のように３２個に限定したものではない。例えば、小さな種苗ポットの為のトレーであれば、更に多くのポット受け１０を設けてもよく、反対に大きめな種苗ポットの為のトレーであれば、ポット受け１０の数を減らすことが考えられる。
【００５０】
更に、前記ポット受け１０の開口１０ａ及び底面１０ｂの形状は、略四角形状に限定したものではなく、他の多角形であっても構わない。
【実施例９】
【００５１】
図７は本発明である種苗ポットに使用するトレーに他の実施例を示す図である。
【００５２】
図７（Ａ）に示すように、トレー９に形成するポット受け１１の開口１１ａ及び底面１１ｂの形状を円形としただけで、その他の構成については、実施例８のトレーと同じである。
【００５３】
従って、前記枠部９ａは、平面形状が略長方形状をしており、外周面に枠部９ａの湾曲を防止する突条９ｂを形成している。
【００５４】
また、前記ポット受け１１は、底面１１ｂの中央に水はけのための孔１１ｄを穿設し、前記底面１１ｂと相似且つ前記底面１１ｂよりも大きい開口１１ａを備えている。尚、符号１１ｃはポット受け１１の側面を示しており、前記ポット受け１１の形成数は、図７のように３２個に限定したものではない。
【００５５】
図８は本発明である種苗ポットの使用状態を示す図である。
【００５６】
図８に示すように、前記トレー９の各ポット受け１１（１０）に種苗ポット１〜１ｋを設置し、前記種苗ポットに用土を敷き、種を植えて苗を育てる。
【００５７】
作物の種類にもよるが、圃場に移植する程度までに苗を育てたあと、苗付け機にトレー９ごと乗せ、前記苗付け機により苗付け作業を行う。
【００５８】
前記苗付け機は、各種苗ポット１〜１ｋの摘み３ａ部分を摘んでトレー９から引き上げ圃場へ移植をする。苗付けができるまで前記種苗ポットで苗を育てるため、作物の種類によっては種苗ポットの一部が微生物により分解を始めていることがあるが、本発明の種苗ポットでは、ポット部分よりも厚みのある肉厚部３が苗付け時まで残っており、前記苗付け機で摘み上げられても種苗ポットが崩れることはなく、安心して苗付けを行う事ができる。
【００５９】
従って、従来のように人力で一つ一つ苗付けを行うよりも短時間で一律に苗付け作業を完成させることができ、作物も安定した出来栄えとなる。
【００６０】
また、苗付けの際に、苗に直接触れる可能性が非常に低く、苗付け時に苗を傷つけていたという問題も発生しにくい。
【産業上の利用可能性】
【００６１】
本発明である種苗ポット及びそれに使用するトレーは、苗付け機による苗付けができるため、作付けに適した時期に少人数且つ短時間で作付けを完了させることができ、作物も安定するため、作物の生産者及び消費者に多大な貢献をもたらす。
【符号の説明】
【００６２】
１      種苗ポット
２      ポット
２ａ    開口
２ｂ    底面
２ｃ    側面
２ｄ    孔
２ｅ    周面
３      肉厚軸
３ａ    摘み
４      ポット
４ａ    開口
４ｂ    底面
４ｃ    側面
４ｄ    孔
４ｅ    周面
５      ポット
５ａ    開口
５ｂ    底面
５ｃ    側面
５ｄ    孔
５ｅ    周面
６      ポット
６ａ    開口
６ｂ    底面
６ｃ    側面
６ｄ    孔
６ｅ    周面
７      ポット
７ａ    開口
７ｂ    底面
７ｃ    側面
７ｄ    孔
７ｅ    周面
８      ポット
８ａ    開口
８ｂ    底面
８ｃ    側面
８ｄ    孔
８ｅ    周面
９      トレー
９ａ    枠部
９ｂ    突条
１０    ポット受け
１０ａ  開口
１０ｂ  底面
１０ｃ  側面
１０ｄ  孔
１１    ポット受け
１１ａ  開口
１１ｂ  底面
１１ｃ  側面
１１ｄ  孔
１２    土
１２ａ  苗
【図１】
2013021925.tif 000003
【図２】
2013021925.tif 000004
【図３】
2013021925.tif 000005
【図４】
2013021925.tif 000006
【図５】
2013021925.tif 000007
【図６】
2013021925.tif 000008
【図７】
2013021925.tif 000009
【図８】
2013021925.tif 000010